(57)【要約】      （修正有）【課題】折りたたみ傘を容易に収納できる収納容器付き傘を提供する。【解決手段】折りたたみ傘を収納でき、ボトルの外観をした容器を、所定の位置で着脱可能に分割し、分割した一方を傘の柄の代わりに折りたたみ傘の軸棒と連結させておく。また、必要に応じて、第一容器構成体と第二容器構成体のいずれかを透明にし、あるいは容器側面に図柄等を施す。【選択図】図１
0003180935.tif 000002
【実用新案登録請求の範囲】
【請求項１】
第一容器構成体と第二容器構成体とを着脱可能に嵌め合わせることによって、折りたたみ傘が収納できるボトルの外観をした容器とし、一方の容器構成体が、傘の柄の部分として利用可能なように、前記容器に収納した折りたたみ傘の軸棒と連結されていることを特徴とする収納容器付き傘。
【請求項２】
前記折りたたみ傘の軸棒と一方の容器構成体の連結手段は、一対の雄ねじと雌ねじ構造であることを特徴とする請求項１に記載の収納容器付き傘。
【請求項３】
前記第一容器構成体と第二容器構成体の内、どちらか一方の容器構成体が透明であることを特徴とする請求項１乃至請求項２のいずれか１項に記載の収納容器付き傘。
【請求項４】
前記ボトルの外観をした容器は、側面に図形、模様、文字、エンボスが施されていることを特徴とする請求項１乃至請求項３のいずれか１項に記載の収納容器付き傘。
【請求項５】
前記ボトルの外観をした容器は、折りたたみ傘が収納し得る容器構成体の開口部の内径が８センチ未満であることを特徴とする請求項１乃至請求項４のいずれか１項に記載の収納容器付き傘。
【請求項６】
前記ボトルの外観をした容器は、一方の容器構成体が、ボトルのキャップ部から肩口部までの形状とし、もう一方の容器構成体が、ボトルの胴体部の形状とし、胴体部の底面が、ボトルのキャップ部から肩口部までの形状のうち、首部に位置する側面の最も細い部分の平面に沿った断面の１．７倍乃至７．０倍の面積で、且つ折りたたみ傘を収納すると、折りたたんだ傘の高さの２分の１以上が胴体部に収容される構造になっていることを特徴とする請求項１乃至請求項５のいずれか１項に記載の収納容器付き傘。
【請求項７】
前記ボトルの外観をした容器のキャップ部は、人物、動物、キャラクター等の具象体であることを特徴とする請求項１乃至請求項６のいずれか１項に記載の収納容器付き傘。
【考案の詳細な説明】
【技術分野】
【０００１】
本考案は、収納容器付き傘に関するものである。
【背景技術】
【０００２】
従来、折りたたみ傘は、不使用時は、袋に収納するか、何らかの容器に入れて持ち歩くことが多かった。
【非特許文献１】実願昭６２−１１２２１２
【考案の開示】
【考案が解決しようとする課題】
【０００３】
しかしながら、折りたたみ傘は、使用時以外は、むしろ邪魔であってバッグの奥や車の中にしまったままにされ、使用されない時でも目を引き、どこに置いてもお洒落な収納容器付き傘は、開発されないでいた。
【０００４】
また、一度使用すると、上手くたためずに、使用前より折りたたみ幅が広がるため、もとの袋や容器に収納しづらかった。
【０００５】
本考案は、上記問題を解決するため成されたもので、お洒落な形状の容器の中に、折りたたみ傘を容易に収納できる構造にしてやることで、使用の幅を広げることができる収納容器付き傘を提供する。
【課題を解決するための手段】
【０００６】
折りたたみ傘を収納でき、ボトルの外観をした容器を、所定の位置で着脱可能に分割し、分割した一方を傘の柄の代わりに折りたたみ傘の軸棒と連結させておく。また、必要に応じて、第一容器構成体と第二容器構成体のいずれかを透明にし、あるいは容器側面に図柄等を施す。
【考案の効果】
【０００７】
請求項１の本考案によれば、分割された一方の容器構成体を傘の柄として使用できる。
【０００８】
請求項２の本考案によれば、折りたたみ傘のみを交換でき、また、分割容器の形態と、色模様等の違う折りたたみ傘の組み合わせによるパターンオーダーが可能となる。
【０００９】
請求項３の本考案によれば、内部の可視化により、内部構造を模様の一部として使用が可能となる。
【００１０】
請求項４の本考案によれば、更に組み合わせのバリエーションが増える。
【００１１】
請求項５の本考案によれば、折りたたんだ傘が簡単に収納でき、車内や市販のドリンクボトルホルダーへの利用が可能となる。
【００１２】
請求項６の本考案によれば、重心を低くすることで、容器自体が安定し、不要に転倒することを回避できる。
【００１３】
請求項７の本考案によれば、更に組み合わせのバリエーションが増える。
【考案を実施するための最良の形態】
【００１４】
収納容器付き傘であって、容器は、第一容器構成体と第二容器構成体を着脱可能に嵌め合わせることによって、折りたたみ傘が収納できるボトルの外観をした容器とし、一方の容器構成体が傘の柄の部分として利用可能なように、容器に収納した折りたたみ傘の軸棒と連結させておく。そして、この容器構成体と折りたたみ傘の軸とは、取り外し可能な連結構造とする。また、必要に応じて、第一容器構成体と第二容器構成体のいずれかを透明にし、あるいは容器側面に図柄等を施す。
【実施例１】
【００１５】
以下、図面を参照して本考案に係る収納容器付き傘の実施例を説明する。図１は、本考案に係る収納容器付き傘の態様例図である。図２は、本考案に係る収納容器付き傘の展開パーツの構造を示す図である。また、図３乃至図５は、本考案に係る収納容器付き傘の別態様例図である。更に、図６は、本考案に係る折りたたみ傘の使用図である。そして、図７及び図８は、本考案に係る収納容器付き傘の利用実施例図である。また、図９は、本考案に係る収納容器付き傘の第一容器構成体と第二容器構成体の、嵌め合わせ構造を示す図である。
【００１６】
まず、傘収納容器を成型する。この傘収納容器は、図１および図２のように折りたたみ傘５の一部を収納し、且つ折りたたみ傘５の柄としても使用可能な第一容器構成体２と、折りたたみ傘５の残りの部分を収納可能な第二容器構成体３とで構成され、互いをはめ合わせたときの外観が任意のボトル形状となるように成形する。
【００１７】
この時、図２のように第一容器構成体２は、傘の柄の部分となるボトルのキャップ部１０、首部１１および肩口部分１２から構成される形体として成型し、第二容器構成体３は、肩口部分より下の胴体部分３の形体として成形する。
【００１８】
また、前記傘収納容器の開口部４の内径は、折りたたみ傘５が容易に収納し得る長さで、図７および図８のような車内や市販のドリンクボトルホルダーへの利用が可能な８センチ以下に成形する。特に、内径６センチが一般の折りたたみ傘の収納に適している。
【００１９】
そして、両容器構成体をはめ合わせにより着脱できる手段は、特に限定しないが、図９のような両容器構成体の一方に突部１５を設け、もう一方に前記突部１５がスライドにより嵌り合う溝部１６を設ける手段や、雄ねじ構造と雌ねじ構造による嵌め合わせ手段などを用いると良い。
【００２０】
次に、折りたたみ傘５の軸棒８の先を雄ねじ構造６とし、傘の柄として使用し得るボトルのキャップから肩口部分までの形状を成型したパーツの内側奥に雌ねじ構造７を備える、取り外し可能な連結手段とする。
【００２１】
また、両容器構成体の内、どちらか一方又は両方を透明にすると、内部構造の可視化による、ファッション性を持った使用が可能となる。
【００２２】
更に、必要に応じて両容器構成体の側面に、図３のような花模様９や、その他文字、図柄を、印刷やエンボス加工により設けてもよい。
【００２３】
必要に応じてキャップ部に、図４のようなクマの具象体１３や、その他人物、動物、キャラクター等の具象体を設けてもよいし、図示しないが、キャップ部全体がクマの形状でも構わない。
【００２４】
必要に応じて胴体部の側面形体を、図５のように弧状に設けてもよい。特に、ドリンクメーカーとのコラボレーションで、市販のドリンク形状をモチーフにすれば、一層価値観の高い収納容器付き傘を販売できる。
【００２５】
そして、前記傘収納容器は、一方の容器構成体である第一容器構成体２を、ボトルのキャップ部１０、首部１１および肩口部１２までの形体とし、もう一方の容器構成体を、ボトルの胴体部３の形体とし、胴体部３の底面１４が、ボトルのキャップ部１０乃至肩口部１２までの形体のうち、首部１１に位置する側面の最も細い部分の平面に沿った断面の１．７倍乃至７．０倍の面積で、更に折りたたみ傘５を収納すると、折りたたんだ傘の高さの２分の１以上が胴体部３に収容される構造とすることで、重心が低くなり、容器自体が安定するため、不要に転倒することを回避できる。
【００２６】
また、使用時は、図６のように、柄の部分２を持って胴体部３を取り外し、軸棒８を伸ばして傘をさし、使用後は逆の手順で折りたたみ、胴体部３の開口部４に差し込んで収納する。
【００２７】
なお、収納した状態では、折りたたみ傘部分本体が、ボトルの高さの中心より下方に配置されるため、重心が低くなり、不要な転倒を回避できる。
【００２８】
このように、好ましい実施例を挙げて本考案を説明したが、本考案はその実施例に限定されるものではなく、本考案の要旨の範囲内で種々に組み合わせや改変できる。
【図面の簡単な説明】
【００２９】
【図１】本考案に係る収納容器付き傘の態様例図である。
【図２】本考案に係る収納容器付き傘の展開パーツの構造を示す図である。
【図３】本考案に係る収納容器付き傘の別態様例図である。
【図４】本考案に係る収納容器付き傘の別態様例図である。
【図５】本考案に係る収納容器付き傘の別態様例図である。
【図６】本考案に係る折りたたみ傘の使用図である。
【図７】本考案に係る収納容器付き傘の利用実施例図である。
【図８】本考案に係る収納容器付き傘の利用実施例図である。
【図９】本考案に係る収納容器付き傘の第一容器構成体と第二容器構成体の、嵌め合わせ構造を示す図である。
【符号の説明】
【００３０】
１  収納容器付き傘
２  第一容器構成体（柄の部分）
３  第二容器構成体（胴体部）
４  開口部
５  折りたたみ傘
６  雄ねじ
７  雌ねじ
８  軸棒
９  花模様
１０  キャップ部
１１  首部
１２  肩口部
１３  具象体
１４  底面
１５  突部
１６  溝部
【図１】
0003180935.tif 000003
【図２】
0003180935.tif 000004
【図３】
0003180935.tif 000005
【図４】
0003180935.tif 000006
【図５】
0003180935.tif 000007
【図６】
0003180935.tif 000008
【図７】
0003180935.tif 000009
【図８】
0003180935.tif 000010
【図９】
0003180935.tif 000011